(57)【要約】　　　（修正有）【課題】メモリ使用量を節約しながら、検索結果をワンタッチで再現できる検索式カラオケリモコン装置を提供する。【解決手段】検索メニュー画面を表示し、検索結果楽曲集合を表示するとともに、その表示画面中に結果保存コマンドオブジェクトを表示し、検索結果楽曲集合を表示している画面で結果保存コマンドが入力されたとき、その検索結果楽曲集合の元となった検索条件を保存結果再現情報として記憶しておき、検索メニュー画面の表示中に保存結果再現コマンドが入力されたとき、保存結果再現情報として記憶されている検索条件を取り出し、その検索条件に該当する検索結果楽曲集合を楽曲索引データベースから抽出し、その楽曲集合を表示し、表示された楽曲集合の中から利用者入力により特定された楽曲の演奏予約信号をカラオケ装置に向けて出力する検索式カラオケリモコン装置とする。【選択図】　　　図４
2004086007.tif 000002
【特許請求の範囲】
【請求項１】
カラオケ楽曲データベースに対応した楽曲索引データベースを管理する手段と、
利用者に向けて文字や画像により各種の情報を提示するとともに提示情報に関連した利用者入力を認知する利用者インタフェースと、
保存結果再現コマンドオブジェクトをメニューの１項目として含んだ検索メニュー画面を表示する手段と、
検索結果楽曲集合を表示するとともに、その表示画面中に結果保存コマンドオブジェクトを表示する手段と、
検索結果楽曲集合を表示している画面で結果保存コマンドが入力されたとき、その検索結果楽曲集合の元となった検索条件を保存結果再現情報として記憶しておく手段と、
検索メニュー画面の表示中に保存結果再現コマンドが入力されたとき、保存結果再現情報として記憶されている検索条件を取り出し、その検索条件に該当する検索結果楽曲集合を楽曲索引データベースから抽出し、その楽曲集合を表示する手段と、
表示された楽曲集合の中から利用者入力により特定された楽曲の演奏予約信号をカラオケ演奏装置に向けて出力する手段と、
を備えたことを特徴とする検索式カラオケリモコン装置。
【請求項２】
請求項１において、個別にアクセス可能な複数の保存結果再現情報を記憶する手段を備えたことを特徴とする検索式カラオケリモコン装置。
【請求項３】
請求項１において、保存結果削除コマンドオブジェクトをメニューの１項目として含んだ検索メニュー画面を表示する手段と、
検索メニュー画面の表示中に保存結果削除コマンドが入力されたとき、保存結果再現情報として記憶されている検索条件をメモリから削除する手段とを備えたことを特徴とする検索式カラオケリモコン装置。
【請求項４】
請求項１において、保存結果再現情報を記憶してから所定時間が経過すると削除することを特徴とする検索式カラオケリモコン装置。
【請求項５】
請求項１において、保存結果再現コマンド入力に起因して表示された保存結果再現情報対応の楽曲集合の中から演奏予約された曲数を計上する手段と、その計数された曲数が所定数以上になったときに該当の保存結果再現情報を削除する手段とを備えたことを特徴とする検索式カラオケリモコン装置。
【請求項６】
請求項１において、保存結果再現情報が記録されていない場合には、保存結果再現コマンドオブジェクトをメニューの１項目として含んだ検索メニュー画面を表示しないことを特徴とする検索式カラオケリモコン装置。
【発明の詳細な説明】
【０００１】
【発明の属する技術分野】
この発明は、利用者の希望曲を検索し演奏予約信号をカラオケ演奏装置に向けて出力する検索式カラオケリモコン装置に関し、特に、検索結果のワンタッチ再現処理の技術に関する。
【０００２】
【発明の背景】
特開２０００−９９０４８号公報には、カラオケ演奏装置に有線接続して用いる選曲予約装置について開示されている。この装置は、各種検索メニューから利用者が選択したメニューにしたがって、利用者からの文字入力操作を受け付けるたびに、入力された文字列について自動的にカラオケ楽曲を検索し、その検索結果を一覧表示する。そして、その中から利用者が特定した楽曲の演奏予約信号をカラオケ演奏装置に転送するものである。ある検索メニューによる検索結果から他の属性によってさらに対象を絞り込む絞り込み検索機能も備えている。
【０００３】
出願人らが実用化した検索式カラオケリモコン装置は、液晶タッチパネル式のユーザインタフェースを備えたパームトップ型のパソコンをベースに構築したコンピュータ応用機器であり、出願人らが制作して配給するカラオケソフトについての楽曲索引データベースを備えている。そして、曲名検索モードや歌手名検索モードだけでなく、流行時期で検索するあのころ検索モードなどのさまざまな方式で楽曲を検索する機能を備えている。利用者はそれらの検索方式を駆使して楽曲を検索することができ、検索した曲を簡単な操作でカラオケ装置の待ち行列に登録することができる。そして、カラオケ装置が待ち行列に登録された順番にしたがって各曲を演奏する。利用者は、このカラオケリモコン装置により、カラオケの場で歌唱するだけでなく、演奏曲を予約するまでの手順も大いに楽しむことができる。
【０００４】
出願人は、さまざまな検索モードを駆使して検索している途中の結果にマークをつけておいていつでも自由にその検索結果に戻ることができれば便利だと考えた。たとえば、ある利用者は一人の歌手の曲ばかりを歌う。しかし、自分の歌う順番になって共用のカラオケリモコン装置で検索する場合に、毎回「歌手名」検索モードを選んでその歌手名の最初の数文字を入力する、という同じ操作を繰り返すのは、面倒なだけでなく時間の無駄でもある。このような場合に、この歌手の楽曲集合にマークをつけておく。次に自分の歌う順番が回ってきたときにはこの楽曲集合をワンタッチで呼び出せると大変に便利である。
【０００５】
あるいは、同年代でカラオケを楽しむ場合に「あのころ」検索モードを使って検索した中から選曲すると、思い出話に花が咲いたりして大いに盛り上がる。しかし、親子のグループや会社の上司と部下のグループなど、年代が大きく分化したグループでは、おなじ「あのころ」検索モードでも各年代で入力する数値が異なる。そのような場合にも、同一年代について一度検索した楽曲集合をワンタッチで呼び出せると面倒がなく大変に便利である。
【０００６】
あるいはまた、少しずつ絞り込みながらある曲を検索している途中に偶然に他にも何曲か歌いたい曲を見つけた場合などに、とりあえずその楽曲集合にマークをつけておく。そして、後でワンタッチでその楽曲集合を呼び出せると、予約の順番もあわせてゆっくり検討することができる。
【０００７】
このようなことは、検索する度にその結果をメモリに保持しておけば簡単に実現できる。しかし、このような検索式カラオケリモコン装置において書き込み可能なメモリ容量は限られており、複数の検索モードにまたがって検索した履歴の全てを利用中ずっと保持しておくことは現実的ではない。
【０００８】
【発明の開示】
本発明の目的は、利用者の希望曲をデータベースで検索してリモコン信号によりカラオケ演奏装置に演奏予約する検索式カラオケリモコン装置において、メモリ使用量を節約しながら、検索結果をワンタッチで再現する方式を提供することにある。
【０００９】
この発明に係る検索式カラオケリモコン装置は、カラオケ楽曲データベースに対応した楽曲索引データベースを管理する手段と、利用者に向けて文字や画像により各種の情報を提示するとともに提示情報に関連した利用者入力を認知する利用者インタフェースと、保存結果再現コマンドオブジェクトをメニューの１項目として含んだ検索メニュー画面を表示する手段と、検索結果楽曲集合を表示するとともに、その表示画面中に結果保存コマンドオブジェクトを表示する手段と、検索結果楽曲集合を表示している画面で結果保存コマンドが入力されたとき、その検索結果楽曲集合の元となった検索条件を保存結果再現情報として記憶しておく手段と、検索メニュー画面の表示中に保存結果再現コマンドが入力されたとき、保存結果再現情報として記憶されている検索条件を取り出し、その検索条件に該当する検索結果楽曲集合を楽曲索引データベースから抽出し、その楽曲集合を表示する手段と、表示された楽曲集合の中から利用者入力により特定された楽曲の演奏予約信号をカラオケ装置に向けて出力する手段とを備える。
【００１０】
この発明において望ましくは、個別にアクセス可能な複数の保存結果再現情報を記憶する手段を備える。
また望ましくは、保存結果削除コマンドオブジェクトをメニューの１項目として含んだ検索メニュー画面を表示する手段と、検索メニュー画面の表示中に保存結果削除コマンドが入力されたとき、保存結果再現情報として記憶されている検索条件をメモリから削除する手段とを備える。
あるいは望ましくは、保存結果再現情報を記憶してから所定時間が経過すると削除する手段を備える。
あるいはまた望ましくは、保存結果再現コマンド入力に起因して表示された保存結果再現情報対応の楽曲集合の中から演奏予約された曲数を計上する手段と、その計数された曲数が所定数以上になったときに該当の保存結果再現情報を削除する手段とを備える。
さらに望ましくは、保存結果再現情報が記録されていない場合には、保存結果再現コマンドオブジェクトをメニューの１項目として含んだ検索メニュー画面を表示しないこととする。
【００１１】
【発明の実施の形態】
＝＝＝カラオケリモコン装置の構成＝＝＝
この発明の一実施例に係る検索式カラオケリモコン装置の外観を図１に示し、その電子システム構成を図２に例示している。このカラオケリモコン装置は、Ｂ５判ほどの寸法で厚みのあるパネル型のキーボードレス・コンピュータである。
【００１２】
外観的には装置正面の大部分が液晶表示パネル（ＬＣＤ）１ａに透明タッチセンサ１ｂを重ねた液晶タッチパネル１で占められ、内部には、ＣＰＵ・ＲＡＭ・ＲＯＭを含む中央処理装置２と、液晶表示パネル１ａを表示駆動する表示ドライバ３と、透明タッチセンサ１ｂに対する入力座標を検出する入力検出回路４と、大容量の外部記憶であるフラッシュメモリ５と、カラオケ演奏装置と交信するための短距離無線通信手段（ＩｒＤＡトランシーバ６・赤外線ＬＥＤ７・赤外線受光素子８）と、充電ステーションと結合して充電される電源電池（図示省略）と、充電ステーションに付属のデータ通信装置を介してカラオケ演奏装置とデータ通信する通信制御部９などが実装されている。赤外線ＬＥＤ７と赤外線受光素子８は、リモコン装置の上部中央部に配設されており、液晶タッチパネル１の上方にその指向性が向くようにレイアウトされている。
【００１３】
中央処理装置２は、楽曲索引データベースをフラッシュメモリ５に格納して管理する。楽曲索引データベースは、カラオケ演奏装置で演奏に供される多数の楽曲についての属性情報を記述したデータベースであり、楽曲番号（楽曲識別子）・曲名・歌手名・歌い出し部分の歌詞・流行時期・音楽ジャンル区分・使用された映画やテレビドラマのタイトル・使用されたテレビＣＭ・各種音楽賞の受賞経歴・デュエット曲か否かなど、さまざまな属性情報（属性項目）がこれに含まれている。カラオケリモコン装置をカラオケ演奏装置に接続されている充電ステーションに結合した状態において、中央処理装置２は通信制御部９を介してカラオケ演奏装置とデータ通信し、楽曲索引データベースの内容を更新するようにシステム構成されている。
【００１４】
なお、短距離無線手段はＩｒＤＡインタフェースに限定するものではない。ブルートゥースインタフェースや他の形式の無線信号であってもよい。
【００１５】
＝＝＝楽曲索引データベースによる基本的な検索手順と選曲予約＝＝＝
カラオケリモコン装置の中央処理装置２は、利用客が希望の楽曲を前記楽曲索引データベースに基づいて検索するための処理を実行する。このデータベース検索処理の初期状態では、検索メニュー画面が液晶タッチパネル１に表示される。この検索メニュー画面（トップ画面）を図３に例示した。この画面で例えば「曲名」検索ボタン２１にタッチ入力すると、５０音のカナ文字パレット画面に表示が切り替わり、その画面上でカナ文字にタッチして曲名を頭文字から順番に入力して（途中まででもよい）、検索実行ボタンにタッチ入力すると、楽曲索引データベースから該当する楽曲群が抽出されて一覧的に列挙表示される。利用者がその中から希望曲を選んで予約イベント操作をすると、短距離無線通信手段（ＩｒＤＡトランシーバ６・赤外線ＬＥＤ７・赤外線受光素子８）が近辺に存在するカラオケ演奏装置と交信し、希望曲の識別情報を含んだ演奏予約情報がカラオケ演奏装置に通知される。
【００１６】
あるいは、各々の利用者がメモ帳に希望曲をあらかじめ検索して登録しておくことができる。図３の「メモ帳」ボタン２２にタッチして利用者一覧から自分のメモ帳を選択し、各々の利用者の希望曲を一覧表示させ、その中から１曲を選んで予約イベント操作を行うことによりカラオケ演奏装置に演奏予約することもできる。
【００１７】
＝＝＝絞り込み検索と検索結果の保存＝＝＝
本実施例に係る検索結果保存および保存結果再現の処理について、画面遷移例を図４（Ａ）〜（Ｄ）に示した。
利用者はまず図３のトップ画面から、上述したようにして検索条件の入力操作を行う。例えば図４の例は「歌手名」検索モードを選択（「歌手名」ボタン２３にタッチ）して検索した場合の画面遷移を示したものである。「まつ」と文字入力し、「検索」ボタンにタッチして検索すると（Ａ）、名前が「まつ」で始まる歌手が一覧表示される。その中から例えば「松山翔子」を選択して「検索」すると、「松山翔子」の曲が一覧表示される（Ｂ）。この場合の検索条件は、「「松山翔子」の曲」である。この検索条件に基づいて楽曲索引データベースを検索し、その結果（検索結果楽曲集合）を画面に一覧表示する。また、このときに操作入力された内容をフラッシュメモリ５に一時記憶する。
【００１８】
図４（Ｂ）は、複数にわたる結果のうち、さらに１ページ先に送って２ページ目を表示した状態である。この例において、操作入力内容として一時記憶される内容は、「名前が「まつ」で始まる歌手のうちから選択した「松山翔子」の曲を検索」して「１ページ先送り」したものである。
【００１９】
さらに絞り込み検索を行うこともできる。検索結果の画面に表示されている「絞り込み」ボタンにタッチすると、先の検索結果（１次検索結果楽曲集合）からさらに絞り込んで検索するための検索メニューが画面に表示される（Ｃ）。このメニューにより利用者は、先の検索条件（１次検索条件）の入力と同様にして２次検索条件を入力することができる。例えば「「新譜」のうちの「リクエスト４０」」を２次検索条件として入力する（Ｄ）。中央処理装置２は、２次検索条件に基づいて１次検索結果楽曲集合から絞り込んだ検索結果（２次検索結果楽曲集合）を画面に一覧表示する。すなわち、画面には松山翔子の曲のうち、リクエストの多い上位４０曲に入っている新譜が一覧表示される。また、この２次検索条件に関する操作入力内容をフラッシュメモリ５に一時記憶する。
【００２０】
このように絞り込まれた２次検索結果を示す画面にも、「絞り込み」ボタンが配設されており、利用者は同様にして３次検索条件を入力することができる。そして、入力した３次検索条件に基づいて２次検索結果楽曲集合からさらに希望曲を絞り込むことができる。
このようにして、各検索結果から次々と検索条件の次数ｎを上げて絞り込んでいき、希望曲を見つけ易くすることができる。このとき、各検索条件に関する操作入力内容はフラッシュメモリ５に一時記憶される。
【００２１】
これらのｎ次の検索結果を表示する各画面には、「メニュー登録」ボタンが配設されている。これをタッチすることにより結果保存コマンドが発せられる（結果保存コマンドオブジェクト）。利用者がｎ次検索結果の画面上でこのボタンにタッチすると、中央処理装置２は、保存結果再現コマンドオブジェクトをフラッシュメモリ５上に生成し、これに１次検索条件からｎ次検索条件までに関する操作入力内容を入力のあった順に対応づけて記憶する。
【００２２】
＝＝＝保存結果再現処理＝＝＝
先の手順で生成された保存結果再現コマンドオブジェクトは、図３のトップ画面上に「利用者」ボタン２４として表示される。利用者がこのボタン２４にタッチすることによって、先に結果保存コマンドにより記憶された画面を再現することができる。中央処理装置２は、「利用者」ボタン２４がタッチされたことを認識すると、保存結果再現コマンドオブジェクトに対応づけて登録されている１次〜ｎ次検索条件に関する操作内容を全て取り出し、その順に操作入力があったものとして、認識される検索条件を楽曲検索データベースに適用して楽曲を検索し、検索結果を画面に表示（再現）する。
【００２３】
たとえば「名前「まつ」で始まる歌手のうちから選択した「松山翔子」の曲を検索」して「１ページ先送り」する、という操作内容（上記の１次検索条件）を結果保存コマンドによって登録しておく。すると、その後には図３のトップ画面から「利用者」ボタン２４にタッチする（保存結果再現コマンドを発信する）だけで、「松山翔子」の曲の「２ページ目」が表示される。
【００２４】
その後、このようにして再現表示された検索結果の中から、利用者が希望曲を選び出して予約イベント操作を行えば、カラオケ演奏装置に演奏を予約することができる。
【００２５】
＝＝＝保存結果の削除処理＝＝＝
生成された保存結果再現コマンドオブジェクト（またはオブジェクトに対応づけされた操作入力内容）は、適宜な機会に削除される。たとえば、「メニュー登録」ボタンにより新たに結果再現コマンドが入力されたときに新しい操作入力内容を上書きするようにして、先に記憶されていた操作入力内容を削除することができる。
あるいは、各画面に「メニュー登録」ボタンと並んで「メニュー削除」ボタンを表示するようにして、利用者が明示に発する削除コマンドによって削除することもできる。
または、保存結果再現コマンドオブジェクトが生成されてから所定時間以上が経過すると自動的に保存されていた内容を削除するようにすることもできる。　　あるいはまた、保存結果再現コマンドオブジェクトにより再現された検索結果楽曲集合の中から所定曲数以上の演奏予約が行われると保存されていた内容を削除するようにすることもできる。
【００２６】
なお、複数の保存結果再現コマンドオブジェクトを生成できるようにすることも可能である。この場合に、保存結果再現コマンドオブジェクトが所定数以上になると上書きして削除することができる。その際に、生成された時期が古い順に行うこともできる。
【００２７】
＝＝＝他の実施形態＝＝＝
図３の検索メニュー画面（トップ画面）において、「利用者」ボタン２４は常に表示することもできるし、再現すべき操作入力内容が記憶されていない場合には表示しないことも可能である。無意味なボタンを表示しないので、利用者にとって使いやすい。
【００２８】
また、とくに複数の保存結果再現コマンドオブジェクトを生成できる場合などに、各保存結果再現コマンドオブジェクトに名前をつけられると便利である。たとえば、「歌手松山翔子」「曲名まなつの」などというように検索条件を端的に表す名前が自動的につくようにすることができる。あるいは、利用者が各々入力できるようにすることもできる。各コマンドで再現されるはずの検索結果が分かり易く、多数生成されても各々の内容を忘れずに済んで便利である。
【００２９】
あるいはまた、図３のトップ画面の「メモ帳」メニューの中に階層的に「利用者」ボタンを設けることもできる。すなわち、利用者が個別にアクセス可能なメモ帳の中に、その利用者用の保存結果再現コマンドオブジェクトを作成することもできる。各利用者が他人に遠慮することなく自由に使えるため、さらに利便性が増す。
【００３０】
【発明の効果】
本発明に係る検索式カラオケリモコン装置によれば、膨大なメモリ量を必要とすることなく、一度行った検索の結果を後にワンタッチで再現させることができる。これにより、検索式カラオケリモコン装置の使い勝手が飛躍的に向上し、カラオケ利用者の増大を期待することができる。
【図面の簡単な説明】
【図１】本発明の一実施例に係る検索式カラオケリモコン装置の概略外観図である。
【図２】本発明の一実施例に係る検索式カラオケリモコン装置の電子システム構成の概略を示すブロック図である。
【図３】本発明の一実施例に係る検索式カラオケリモコン装置における選曲メニュー画面の概略図である。
【図４】本発明の一実施例に係る検索式カラオケリモコン装置における検索処理の画面遷移の概略図である。
【符号の説明】
１　液晶タッチパネル
２　中央処理装置
５　フラッシュメモリ
６　ＩｒＤＡトランシーバ
７　赤外線ＬＥＤ
【図１】
2004086007.tif 000003
【図２】
2004086007.tif 000004
【図３】
2004086007.tif 000005
【図４】
2004086007.tif 000006